(57)【特許請求の範囲】
【請求項１】
その内側に粉体を収納する筒状の胴体を有し該胴体の一端側に蓋体を備える容器本体と、該蓋体の開口に挿通されて該胴体内を摺動するとともに側部に凹所を有する栓体を該胴体の他端側に備えるロッドと、該胴体の内側に設けられ、該栓体に当接して該胴体内を閉鎖する一方、該ロッドの押し込みに伴い該凹所を閉鎖するとともに該ロッドの更なる押し込みにて該凹所内の粉体のみを排出させる弾性壁とを備える定量抽出容器において、
前記容器本体は、その他端側に装着されるキャップを有し、該キャップに、押し込まれたロッドの他端側端部に当接して該ロッドを初期位置に変位させる押し込み壁を形成し、
前記容器本体に、該ロッドを該胴体の他端側から一端側に向けて付勢する弾性体を設け、前記蓋体に、該ロッドに設けた溝部に係合して該ロッドを押し込み終了位置で保持する爪部を形成することを特徴とする定量抽出容器。
【請求項２】
前記弾性体は、前記胴体内に設けられ、前記ロッドと前記蓋体とを連結するとともに該蓋体の開口及び爪部を覆う蛇腹部材である請求項１に記載の定量抽出容器。
【請求項３】
前記弾性壁は、その基部を前記胴体の内面に一体連結するとともにその先端部を前記栓体に全周に亘って当接させる環状舌片である請求項１又は２に記載の定量抽出容器。
【発明の詳細な説明】
【技術分野】
【０００１】
本発明は、調味料や化粧料、医薬品等の粉体を定量で抽出することができる定量抽出容器に関するものである。
【背景技術】
【０００２】
各種の調味料や食料品をはじめ、化粧料、医薬品等の粉体を収納した容器においては、１回の操作で定められた量の粉体だけを抽出することができる定量抽出容器が知られている。
【０００３】
このような定量容器として、例えば特許文献１には、壜の首部内に昇降自在に収納される定量筒と、壜の底部に設けられる湾曲する底板と、この定量筒と底板とを連結する軸棒とを備え、底板の反転に伴って定量筒を壜の外側に変位させることで筒内の内容物を抽出させるようにした容器が示されている。また、特許文献２には、搬出凹部を有する第２栓部を、センターロッドを介して本体内に上下動可能に設け、センターロッドにつながるプッシュ部の押し下げにて、底に開けた振出し口から第２栓部を押し出すことで、搬出凹部内の内容物を抽出させるようにした容器が示されている。
【先行技術文献】
【特許文献】
【０００４】
【特許文献１】実開昭５９−４３３７６号公報
【特許文献２】実開昭６３−１４２１６３号公報
【発明の概要】
【発明が解決しようとする課題】
【０００５】
ところで、このような従来の容器は、内容物を抽出する容器の開口（特許文献１においては壜の首部、特許文献２においては振出し口）と、凹部を設けた栓体（特許文献１においては定量筒、特許文献２においては第２栓部）との隙間が大きすぎると、所期した量以上の内容物が排出されるおそれや、この隙間から常時外気が入り込むことに起因して内容物の品質が劣化してしまう懸念があった。一方、隙間が狭すぎると、これらの間に強い接触が生じることとなり、抽出させる際の操作性が悪くなるという問題があった。また、適正な隙間とするためには、両方の寸法を厳しく管理する必要があるため、容器の生産性の点でも課題があった。更には、容器の使用を継続していくと、擦れ等による摩耗によってこれらの間の隙間が次第に拡大して、初期の性能を発揮できなくなるという不具合もあり、これらの点で未だ改善の余地が残されていた。
【０００６】
本発明は、このような従来の問題点を解決することを課題とするものであり、その目的は、操作性に優れる上、所期した通りの量の内容物を１回分だけ抽出することができ、しかも初期の性能を長期に亘って維持することができる、新規の定量抽出容器を提案するところにある。
【課題を解決するための手段】
【０００７】
本発明は、その内側に粉体を収納する筒状の胴体を有し該胴体の一端側に蓋体を備える容器本体と、該蓋体の開口に挿通されて該胴体内を摺動するとともに側部に凹所を有する栓体を該胴体の他端側に備えるロッドと、該胴体の内側に設けられ、該栓体に当接して該胴体内を閉鎖する一方、該ロッドの押し込みに伴い該凹所を閉鎖するとともに該ロッドの更なる押し込みにて該凹所内の粉体のみを排出させる弾性壁とを備える定量抽出容器において、
前記容器本体は、その他端側に装着されるキャップを有し、該キャップに、押し込まれたロッドの他端側端部に当接して該ロッドを初期位置に変位させる押し込み壁を形成し、
前記容器本体に、該ロッドを該胴体の他端側から一端側に向けて付勢する弾性体を設け、前記蓋体に、該ロッドに設けた溝部に係合して該ロッドを押し込み終了位置で保持する爪部を形成することを特徴とする定量抽出容器である。
【０００９】
前記弾性体は、前記胴体内に設けられ、前記ロッドと前記蓋体とを連結するとともに該蓋体の開口及び爪部を覆う蛇腹部材であることが好ましい。
【００１０】
前記弾性壁は、その基部を前記胴体の内面に一体連結するとともにその先端部を前記栓体に全周に亘って当接させる環状舌片であることが好ましい。
【発明の効果】
【００１１】
粉体を収納する胴体内に、凹所を設けた栓体を有しこの胴体内を摺動するロッドを設け、胴体の内側に、この栓体に当接して胴体内を閉鎖する一方、ロッドの押し込みに伴い凹所を閉鎖するとともにロッドの更なる押し込みにて凹所内の粉体のみを排出させる弾性壁を設けたので、栓体と弾性壁は隙間なく弾性的に当接することになり、操作性を損なうことなく、所期した通りの量の粉体を１回分だけ抽出することができる。また、継続して使用することによる擦れ等でこれらに摩耗が生じても、栓体と弾性壁との弾性的な当接が保たれるので、初期の性能を長期に亘って維持することができる。更に、この容器本体に装着されるキャップに、押し込まれたロッドの他端側端部に当接して該ロッドを初期位置に変位させる押し込み壁を形成したので、ロッドを元の位置に移動させる手間を省くことができる。
【００１２】
容器本体に、ロッドを胴体の他端側から一端側に向けて付勢する弾性体を設け、蓋体に、ロッドに設けた溝部に係合してロッドを押し込み終了位置で保持する爪部を形成する場合は、押し込んだロッドから手を離してもロッドはその位置で保持されるので、凹所内の粉体を抽出させている間、ロッドを押し続ける必要がなくなる。また、ロッドが勝手に初期位置に元に戻ることがなくなるので、誤ってロッドを連続して押してしまうことがない。また、キャップにてロッドを戻す際は、弾性体の付勢力によって、ロッドを素早く初期位置に戻すことができる。
【００１３】
弾性体を、胴体内に設けられロッドと栓体とを連結するとともに栓体の開口及び爪部を覆う蛇腹部材とする場合は、ロッドとの摺動部となる栓体の開口及び爪部に胴体内の粉体が入り込むことがなくなるので、ロッドを押し込む際の操作性が損なわれることがない。
【００１４】
弾性壁を、その基部を胴体の内面に一体連結するとともにその先端部を栓体に全周に亘って当接させる環状舌片とする場合は、栓体に対して環状舌片が周方向に一律に当接してロッドが傾いて押し込まれるおそれを取り除くことができるので、ロッドの押し込み操作がより安定的に行えるようになる。
【図面の簡単な説明】
【００１５】
【図１】本発明に従う定量抽出容器の実施の形態を示す、（ａ）はロッドを押し込む前の初期位置での側面視での断面図であり、（ｂ）は（ａ）に示すＡ−Ａに沿う断面図である。
【図２】図１（ａ）に示す状態からキャップを取り外してロッドを押し込み、弾性壁によって凹所が閉鎖された状態を示す断面図である。
【図３】図２に示す状態から更にロッドを押し込んで凹所内の粉体が排出された状態を示す、ロッドの押し込み終了位置での断面図である。
【図４】図３に示す状態の定量抽出容器にキャップを取り付け、キャップの押し込み壁がロッドの他端側端部に当接する直前の状態を示す断面図である。
【図５】本発明に従う定量抽出容器の他の実施の形態を示す、ロッドを押し込む前の初期位置での断面図である。
【図６】本発明に従う定量抽出容器の更に他の実施の形態を示す、ロッドを押し込む前の初期位置での断面図である。
【発明を実施するための形態】
【００１６】
以下、図面を参照して、本発明をより具体的に説明する。
図１は、本発明に従う定量抽出容器の実施の形態を示す、（ａ）はロッドを押し込む前の初期位置での側面視での断面図であり、（ｂ）は（ａ）に示すＡ−Ａに沿う断面図であって、図２は、図１（ａ）に示す状態からキャップを取り外してロッドを押し込み、弾性壁によって凹所が閉鎖された状態を示す断面図であって、図３は、図２に示す状態から更にロッドを押し込んで凹所内の粉体が排出された状態を示す、ロッドの押し込み終了位置での断面図であって、図４は、図３に示す状態の定量抽出容器にキャップを取り付け、キャップの押し込み壁がロッドの他端側端部に当接する直前の状態を示す断面図である。
【００１７】
図１（ａ）において、容器本体１０は、その内側に粉体の収納空間Ｍを有する筒状の胴体１１と、胴体１１の一端側を閉じる蓋体１２と、胴体１１の他端側に設けられる先端カバー１３とを備えている。
【００１８】
胴体１１は、その一端側に蓋体１２を保持する係合部１１ａを備えている。またその他端側には、先端カバー１３を保持する係合部１１ｂを備えるとともに、胴体１１の内側に弾性壁１１ｃを備えている。図示の例で弾性壁１１ｃは、その基部１１ｄを胴体１１の内面に一体連結させるとともにその先端部１１ｅが自由端となる片持ち支持タイプの環状舌片となっている。なお、基部１１ｄの内面は、胴体１１の他端側に向けて縮径する傾斜面となっている。
【００１９】
蓋体１２は、胴体１１の一端側の開口を閉塞する閉塞壁１２ａと、閉塞壁１２ａと一体連結するとともに胴体１１の一端側を取り囲む周壁１２ｂとを備えている。また、周壁１２ｂの内面には、係合部１１ａに対応する被係合部１２ｃを設けて、蓋体１２を胴体１１から抜け止め保持している。なお、このようなアンダーカットでの保持に代えて、例えば相互に形成したねじによって保持するようにしてもよい。そして、蓋体１２の外側には、閉塞壁１２ａから突出させて設けた環状壁１２ｄを備えるとともに、蓋体１２の内側には、後述する蛇腹部材を保持する突起１２ｅを備えている。更に蓋体１２の中央部には、その表裏を貫く開口１２ｆを設けている。また、開口１２ｆの縁部には、他端側へ向かうにつれて後述するロッドに向かって傾斜する爪部１２ｇを設けている。ここでは、図１（ｂ）に示すように、周方向に間隔をおいて配置した溝によって分割することで片持ち支持タイプの爪部１２ｇを形成していて、図示の例では均等配置で４つ設けている。
【００２０】
先端カバー１３は、その先端側を縮径させた筒状のカバー本体１３ａと、その縮径部の先端において開口する先端開口１３ｂとを備えている。また、カバー本体１３ａの内面には、胴体１１の係合部１１ｂに対応する被係合部１３ｃを設けて、先端カバー１３を胴体１１から抜け止め保持している。なお、胴体１１と先端カバー１３とは、ねじによって連結させてもよい。更に、先端カバー１３の外周面には、後述するキャップを装着するねじ部１３ｄを設けている。
【００２１】
図１（ａ）において、符号２０は、ロッドである。ロッド２０は、蓋体１２の開口１２ｆに挿通される棒状のロッド本体２０ａと、ロッド本体２０ａと一体連結するとともに胴体１１の他端側に設けられる栓体２０ｂと、栓体２０ｂの側部に形成される凹所２０ｃとを備えている。図示の例で凹所２０ｃは環状になっていて、これにより栓体２０ｂを、一端側栓体部分２０ｄと他端側栓体部分２０ｅの２つに分離している。ここで、図１（ａ）に示すように、ロッド２０を押し込む前の初期位置において、弾性壁１１ｃは他端側栓体部分２０ｅのみと当接していて、胴体１１内は閉鎖され、また凹所２０ｃは開口した状態となっている。そして、栓体２０ｂの他端側には、筒状となる他端側端部２０ｆを一体連結している。更に、ロッド本体２０ａの一端側の端部には、後述する操作部を装着する凹部２０ｇを設けている。
【００２２】
また、図１（ａ）における符号３０は、ロッド２０と連結してロッド２０の一部をなす操作部である。操作部３０は、ロッド本体２０ａを取り囲んで蓋体１２の開口１２ｆにロッド本体２０ａとともに挿通される内側筒部３０ａと、内側筒部３０ａと一体連結し、ロッド２０を押し込む際に指を押し当てる部分となる円板状の押圧壁３０ｂと、押圧壁３０ｂの縁部と一体連結するとともに環状壁１２ｄを取り囲む外側筒部３０ｃとを備えている。また、内側筒部３０ａの内面には、ロッド２０の凹部２０ｇに対応する凸部３０ｄを設けて、操作部３０をロッド２０に対して抜け止め保持している。更に、内側筒部３０ａの外面には、蓋体１２の爪部１２ｇに係合する溝部を設け、ここでは、図１（ａ）に示すようにロッド２０の初期位置にて爪部１２ｇに係合する他端側溝部３０ｅと、図３に示すようにロッド２０の押し込み終了位置にて爪部１２ｇに係合する一端側溝部３０ｆとを設けている。なお、図示の例で他端側溝部３０ｅ及び一端側溝部３０ｆは環状であるが、爪部１２ｇに対する回り止め手段を設けて、爪部１２ｇに適合する部分だけに間欠状に形成してもよい。また、図示の例ではこれらの溝部を、ロッド２０の一部をなす操作部３０に対して設けているが、例えば内側筒部３０ａの長さを短くして、ロッド２０に対して設けてもよい。
【００２３】
そして、符号４０は、ロッド２０を胴体１１の他端側から一端側に向かう向きに付勢する弾性体であって、図示の例では、螺旋状に巻き回したばね部材４１と、山部と谷部とを繰り返して形成した蛇腹部材４２との２つからなる。
【００２４】
ばね部材４１は、閉塞壁１２ａの外側であって、環状壁１２ｄと内側筒部３０ａとの相互間に配設されていて、操作部３０の押圧壁３０ｂに当接することでロッド２０に付勢力を与えている。
【００２５】
また、蛇腹部材４２は、胴体１１内に設けられていて、図示の例では、一端側から他端側に向けて縮径して截頭錐体状となるものである。そして、他端側の壁部４２ａに壁部開口４２ｂを設けてロッド本体２０ａを挿通させるとともに、一端側の基部４２ｃを蓋体１２の突起１２ｅに係合させて、壁部４２ａにて操作部３０の内側筒部３０ａ、ひいては操作部３０に連結するロッド２０に付勢力を与えている。この時、ロッド本体２０ａが挿通される蓋体１２の開口１２ｆ、及び開口１２ｆの周囲に設けられた爪部１２ｇは、蛇腹部材４２によって、胴体１１内に粉体を収納する領域から隔離されている。
【００２６】
なお、図示は省略するが、弾性体４０によるロッド２０への付勢力に対し、ロッド２０の胴体１１からの抜け出しを防止するため、例えば蓋体１２の環状壁１２ｄと操作部３０の外側筒部３０ｃとの相互間には、爪等による係合部を設けることもできる。
【００２７】
符号５０は、容器本体１０の先端カバー１３に装着されるキャップである。キャップ５０は、先端カバー１３の先端開口１３ｂを閉鎖する円板状の閉鎖板５０ａと、閉鎖板５０ａの縁部と一体連結するとともに先端カバー１３を取り囲む外周壁５０ｂとを備えていて、外周壁５０ｂの内面に、先端カバー１３のねじ部１３ｄに対応する被ねじ部５０ｃを設けている。また、閉鎖板５０ａの内面には、他端側端部２０ｆに向けて伸延する筒状の押し込み壁５０ｄを設けている。なお、キャップ５０は、アンダーカットにて先端カバー１３に保持されるようにしてもよい。ここで、押し込み壁５０ｄは、キャップ５０を先端カバー１３に装着させた際に、ロッド２０の初期位置にて他端側端部２０ｆに当接するか或いは僅かに隙間をあける長さに設定されている。
【００２８】
上記のような構成となる定量抽出容器は、図１（ａ）のように操作部３０を上方に向けた姿勢にて、内容物である粉体は、栓体２０ｂ側に溜まることになるので、凹所２０ｃ内の全体に粉体を充填させることができる。なお、弾性壁１１ｃの基部１１ｄは凹所２０ｃに向けて下方側に傾く傾斜面となっているので、凹所２０ｃへの粉体の充填がより確実に行われる。そして、環状舌片である弾性壁１１ｃは、他端側栓体部分２０ｅに全周に亘って当接しているので、これらの相互間から粉体が溢れ出すことがない。
【００２９】
そして、粉体を抽出するに当たっては、キャップ５０を取り外した後、操作部３０を押圧することで爪部１２ｇと他端側溝部３０ｅとの係合が外れて、ロッド２０が他端側に変位する。そして図２に示す位置までロッド２０が変位すると、弾性壁１１ｃが一端側栓体部分２０ｄと他端側栓体部分２０ｅの両方に当接して凹所２０ｃが閉鎖され、定量の粉体が凹所２０ｃ内に充填される。そして更に操作部３０への押圧を継続し、図３に示すように、ロッド２０の押し込み終了位置へ変位させることで、弾性壁１１ｃが一端側栓体部分２０ｄのみと当接する状態となって、凹所２０ｃ内の粉体のみが先端カバー１３の先端開口１３ｂから注出される。この時、爪部１２ｇと一端側溝部３０ｆは係合するため、ロッド２０は、押し込み終了位置で保持される。なお、環状舌片である弾性壁１１ｃは、ロッド２０の変位中、一端側栓体部分２０ｄと他端側栓体部分２０ｅの少なくとも一方に、全周に亘って均一に当接するので、ロッド２０が傾いて押し込まれるおそれを取り除くことができる。
【００３０】
そして、粉体を抽出させた後は、図４に示すようにキャップ５０を先端カバー１３にねじ込んでいくと、押し込み壁５０ｄがロッド２０の他端側端部２０ｆに突き当たり、そのままねじ込みを継続すると爪部１２ｇと一端側溝部３０ｆの係合を外すことができる。そして、弾性体４０としてばね部材４１及び蛇腹部材４２を設けた本実施の形態においては、これらの弾性体４０の付勢力によって、図１（ａ）の初期位置にロッド２０を素早く戻すことができる。なお、図１（ａ）に示すように、ロッド２０の初期位置において、装着が完了したキャップ５０の押し込み壁５０ｄは、ロッド２０の他端側端部２０ｆに当接するか或いは僅かに隙間をあける長さに設定されているので、ロッド２０の不用意な押し込みが確実に防止できる。
【００３１】
蛇腹部材４２を用いる場合は、蛇腹部材４２によって、蓋体１２の開口１２ｆ及び爪部１２ｇと、ロッド本体２０ａとの相互間に粉体が入り込むことがないので、ロッド２０の操作性が粉体によって阻害されることがなくなる。
【００３２】
また、本発明に従う定量抽出容器は、図５に示すように、ばね部材４１を用いることなく蛇腹部材４２のみで構成することもでき、また、図示は省略するが、蛇腹部材４２を用いることなくばね部材４１のみで構成することも、或いはこれら両方を用いることなく構成することもできる。
【００３３】
そして、本発明に従う定量抽出容器は、蓋体１２の爪部１２ｇ、及び操作部３０の他端側溝部３０ｅ、一端側溝部３０ｆを設けることなく、図６に示す構成とすることもできる。栓体２０ｂは、環状舌片である弾性壁１１ｃによって軽い力で挟まれた状態になっており、また、この場合の蛇腹部材４２は、ロッド２０の移動にはほとんど寄与しない極弱い付勢力しか発生させないように設定されているので、この実施の形態においても、ロッド２０を押し込み終了位置で保持することができる。
【産業上の利用可能性】
【００３４】
本発明によれば、粉体を抽出させる際の押し込み操作が良好となり、また、所期した通りの量の内容物を確実に１回分だけ抽出することができ、しかも繰り返し使用しても初期の性能を長期に亘って維持することができる、新たな定量抽出器を提供することができる。
【符号の説明】
【００３５】
１０  容器本体
１１  胴体
１１ｃ  弾性壁
１１ｄ  基部
１１ｅ  先端部
１２  蓋体
１２ｆ  開口
１２ｇ  爪部
２０  ロッド
２０ｂ  栓体
２０ｃ  凹所
２０ｆ  他端側端部
３０ｅ  他端側溝部（溝部）
３０ｆ  一端側溝部（溝部）
４０  弾性体（環状舌片）
４１  ばね部材
４２  蛇腹部材
５０  キャップ
５０ｄ  押し込み壁
【図１】
0005931571.tif 000002
【図２】
0005931571.tif 000003
【図３】
0005931571.tif 000004
【図４】
0005931571.tif 000005
【図５】
0005931571.tif 000006
【図６】
0005931571.tif 000007